(57)【要約】【課題】伝送劣化を防ぐとともに、コネクタの小型化を図ることができるコネクタを提供する。【解決手段】対の第１、第２信号コンタクト５１，５２の接触部５１ａ，５２ａとグランドコンタクト５３の接触部５３ａとを、それぞれコンタクト配列方向Ｃへ一列に並べる。非高速伝送用のコンタクト５４，５４´の接触部５４ａ，５４ａ´をコンタクト配列方向Ｃへ一列に並べる。対の第１、第２信号コンタクト５１，５２の接触部５１ａ，５２ａとグランドコンタクト５３の接触部５３ａとで形成される列と、非高速伝送用コンタクト５４，５４´の接触部５４ａ，５４ａ´で形成される列とを、平行にする。対の第１、第２信号コンタクト５１，５２の接触部５１ａ，５２ａを、コンタクト配列方向Ｃで隣接するグランドコンタクト５３の接触部５３ａ間に配置する。【選択図】図３
2009187714.tif 000002
【特許請求の範囲】
【請求項１】
相手側コネクタの相手側ハウジングに嵌合可能なハウジングと、このハウジングに保持される複数のコンタクトとを備えているコネクタにおいて、
前記複数のコンタクトは、対の高速伝送用信号コンタクトと、高速伝送用グランドコンタクトと、非高速伝送用コンタクトとを含み、
前記対の高速伝送用信号コンタクト、前記高速伝送用グランドコンタクト及び前記非高速伝送用コンタクトは、それぞれ前記相手側コネクタの相手側コンタクト接触部に接触可能な接触部と、接続対象物に接続される接続部とを有し、
前記対の高速伝送用信号コンタクトの接触部と前記高速伝送用グランドコンタクトの接触部とは、それぞれコネクタ嵌合方向に対して直交するコンタクト配列方向へ一列に並び、
前記対の高速伝送用信号コンタクトの接触部と前記高速伝送用グランドコンタクトの接触部とで形成される列と、前記非高速伝送用コンタクトの接触部で形成される列とは、平行であり、
前記対の高速伝送用信号コンタクトの接触部は、前記コンタクト配列方向で隣接する前記高速伝送用グランドコンタクトの接触部間に配置され、
前記非高速伝送用コンタクトの接触部は前記コンタクト配列方向へ一列に並び、
前記対の高速伝送用信号コンタクトの接続部と前記高速伝送用グランドコンタクトの接続部とは、それぞれ前記コンタクト配列方向へ一列に並び、
前記対の高速伝送用信号コンタクトの接続部は、前記コンタクト配列方向で隣接する前記高速伝送用グランドコンタクトの接続部間に配置され、
前記非高速伝送用コンタクトの接続部は前記コンタクト配列方向へ並び、前記対の高速伝送用信号コンタクトの接続部と前記高速伝送用グランドコンタクトの接続部とで形成される列と、前記非高速伝送用コンタクトの接続部で形成される列とは、平行である
ことを特徴とするコネクタ。
【請求項２】
前記非高速伝送用コンタクトの接続部が前記コンタクト配列方向へ二列に並ぶとともに千鳥状に配置され、
前記対の高速伝送用信号コンタクトの接続部と前記高速伝送用グランドコンタクトの接続部とで形成される列と、前記非高速伝送用コンタクトの接続部で形成される２つの列とは、平行である
ことを特徴とする請求項１記載のコネクタ。
【発明の詳細な説明】
【技術分野】
【０００１】
この発明はコネクタに関し、特に信号の高速伝送に適したコネクタに関する。
【背景技術】
【０００２】
従来、３種類のコンタクトとそのコンタクトを保持するインシュレータとそのインシュレータを覆うレセプタクルシェルとを備えるレセプタクルコネクタが知られている（下記特許文献１参照）。
【０００３】
３種類のコンタクトには高速伝送用の信号コンタクトＳとグランドコンタクトＧと非高速伝送用のコンタクトＤとが含まれる。３種類のコンタクトは、それぞれ相手側コネクタの相手側コンタクトの接触部に接触可能な接触部とプリント基板上のパッドに半田付け可能な端子部とを有する。
【０００４】
接触部は上下２列に配置されている。上段の列では、インシュレータの正面に向かって左側からＤ、Ｄ、Ｄ、Ｇ、Ｓ、Ｓ、Ｇ、Ｓ、Ｓの順で接触部が並んでいる。下段の列では、インシュレータの正面に向かって左側からＤ、Ｄ、Ｓ、Ｓ、Ｇ、Ｓ、Ｓ、Ｇの順で接触部が並んでいる。上段の列の１つのＧとその下方に位置する１対のＳ、Ｓとで１組の高速伝送用のコンタクト群が構成されるとともに、下段の列の１つのＧとその上方に位置する１対のＳ、Ｓとで１組の高速伝送用のコンタクト群が構成される。
【０００５】
端子部はインシュレータの幅方向（コンタクト配列方向）に沿って一列に配置されている。この列ではインシュレータの左側からＤ、Ｄ、Ｄ、Ｄ、Ｄ、Ｓ、Ｇ、Ｓ、Ｓ、Ｇ、Ｓ、Ｓ、Ｇ、Ｓの順で端子部が並んでいる。１つのＧとその両側の１対のＳ、Ｓとで１組の高速伝送用のコンタクト群が構成される。
【特許文献１】特開２００２−３３４７４８号公報
【発明の開示】
【発明が解決しようとする課題】
【０００６】
上述の接触部の配置において、上段の列の右端の信号コンタクトＳのペアだけがグランドコンタクトＧにはさまれていない。その結果、他のペアの信号コンタクトとの間で伝送特性のバラツキが生じるとともに、斜め下に位置する他のペアの信号コンタクトとの間でクロストークが発生する虞がある。
【０００７】
また、端子部の配置において、隣り合うコンタクト群の信号コンタクトが隣接するので、その間でクロストークが発生する虞がある。
【０００８】
更に、端子部がインシュレータの幅方向に沿って１列に並んでいるので、コネクタが大型化するという問題がある。
【０００９】
この発明はこのような事情に鑑みてなされたもので、その課題は、伝送劣化を防ぐとともに、コネクタの小型化を図ることができるコネクタを提供することである。
【課題を解決するための手段】
【００１０】
前述の課題を解決するため請求項１の発明は、相手側コネクタの相手側ハウジングに嵌合可能なハウジングと、このハウジングに保持される複数のコンタクトとを備えているコネクタにおいて、前記複数のコンタクトは、対の高速伝送用信号コンタクトと、高速伝送用グランドコンタクトと、非高速伝送用コンタクトとを含み、前記対の高速伝送用信号コンタクト、前記高速伝送用グランドコンタクト及び前記非高速伝送用コンタクトは、それぞれ前記相手側コネクタの相手側コンタクト接触部に接触可能な接触部と、接続対象物に接続される接続部とを有し、前記対の高速伝送用信号コンタクトの接触部と前記高速伝送用グランドコンタクトの接触部とは、それぞれコネクタ嵌合方向に対して直交するコンタクト配列方向へ一列に並び、前記対の高速伝送用信号コンタクトの接触部と前記高速伝送用グランドコンタクトの接触部とで形成される列と、前記非高速伝送用コンタクトの接触部で形成される列とは、平行であり、前記対の高速伝送用信号コンタクトの接触部は、前記コンタクト配列方向で隣接する前記高速伝送用グランドコンタクトの接触部間に配置され、前記非高速伝送用コンタクトの接触部は前記コンタクト配列方向へ一列に並び、前記対の高速伝送用信号コンタクトの接続部と前記高速伝送用グランドコンタクトの接続部とは、それぞれ前記コンタクト配列方向へ一列に並び、前記対の高速伝送用信号コンタクトの接続部は、前記コンタクト配列方向で隣接する前記高速伝送用グランドコンタクトの接続部間に配置され、前記非高速伝送用コンタクトの接続部は前記コンタクト配列方向へ並び、前記対の高速伝送用信号コンタクトの接続部と前記高速伝送用グランドコンタクトの接続部とで形成される列と、前記非高速伝送用コンタクトの接続部で形成される列とは、平行であることを特徴とする。
【００１１】
上述のように、対の高速伝送用信号コンタクトの接触部と高速伝送用グランドコンタクトの接触部とは、それぞれコネクタ嵌合方向に対して直交するコンタクト配列方向へ一列に並び、対の高速伝送用信号コンタクトの接触部と高速伝送用グランドコンタクトの接触部とで形成される列と、非高速伝送用コンタクトの接触部で形成される列とは、平行であり、対の高速伝送用信号コンタクトの接触部は、コンタクト配列方向で隣接する高速伝送用グランドコンタクトの接触部間に配置され、非高速伝送用コンタクトの接触部はコンタクト配列方向へ一列に並んでいるので、伝送特性のバラツキやクロストークが抑制される。
【００１２】
また、対の高速伝送用信号コンタクトの接続部と高速伝送用グランドコンタクトの接続部とは、それぞれコンタクト配列方向へ一列に並び、対の高速伝送用信号コンタクトの接続部は、コンタクト配列方向で隣接する高速伝送用グランドコンタクトの接続部間に配置され、非高速伝送用コンタクトの接続部はコンタクト配列方向へ並び、対の高速伝送用信号コンタクトの接続部と高速伝送用グランドコンタクトの接続部とで形成される列と、非高速伝送用コンタクトの接続部で形成される列とは、平行であるので、伝送特性のバラツキが抑制されるとともに、コネクタの小型化を図ることができる。
【００１３】
請求項２の発明は、請求項１記載のコネクタにおいて、前記非高速伝送用コンタクトの接続部が前記コンタクト配列方向へ二列に並ぶとともに千鳥状に配置され、前記対の高速伝送用信号コンタクトの接続部と前記高速伝送用グランドコンタクトの接続部とで形成される列と、前記非高速伝送用コンタクトの接続部で形成される２つの列とは、平行であることを特徴とする。
【発明の効果】
【００１４】
この発明によれば、伝送劣化を防ぐとともに、コネクタの小型化を図ることができる。
【発明を実施するための最良の形態】
【００１５】
以下、この発明の実施の形態を図面に基づいて説明する。
【００１６】
図１Ａはこの発明の第１実施形態のコネクタの正面図、図１Ｂは同コネクタの側面図、図１Ｃは同コネクタの背面図、図２は図１ＣのII−II線に沿う断面図、図３は図１に示すコネクタを背面から見たときのコンタクトの接触部の配置を示す概念図、図４は図１に示すコネクタを底面から見たときのコンタクトの端子部の配置を示す概念図である。
【００１７】
図１Ａ〜図２に示すように、コネクタ１はハウジング３と複数のコンタクト５とシェル７とを備える。
【００１８】
ハウジング３は樹脂で形成されている。ハウジング３は底板部３１と後壁部３２と側壁部３３と保持部３４と突出部３５とを有する。底板部３１は板状であり、その底面には１対の位置決め用ボス３６が形成されている。位置決め用ボス３６は図示しないプリント基板の位置決め用孔に挿入される。後壁部３２は底板部３１の後部に連結されている。後壁部３２の前面と後面のそれぞれには所定間隔に複数の圧入溝３２ａ，３２ｂが形成されている。圧入溝３２ａ，３２ｂはハウジング３の高さ方向Ｈへ延びている。２つの側壁部３３は後壁部３２のそれぞれ両側部に連結されている。保持部３４は板状であり、後壁部３２に連結されている。保持部３４はハウジング３の図示しない相手側ハウジングに対する嵌合・離脱方向（コネクタ嵌合方向）Ａに沿って延び、底板部３１と平行である。突出部３５は後壁部３２、両方の側壁部３３及び保持部３４にそれぞれ連結されている。突出部３５によってインピーダンスの値が調整される。インピーダンスの値の調整のために突出部３５には孔３５ａが形成されている。
【００１９】
コンタクト５には、高速伝送用のコンタクトと非高速伝送用コンタクト用の５４，５４´が含まれる。高速伝送用のコンタクトには、第１信号コンタクト（高速伝送用信号コンタクト）５１と第２信号コンタクト（高速伝送用信号コンタクト）５２とグランドコンタクト（高速伝送用グランドコンタクト）５３とが含まれる。それらのコンタクト５１，５２，５３はそれぞれハウジング３に等間隔に配置されている。非高速伝送用のコンタクト５４と非高速伝送用のコンタクト５４´とは交互にハウジング３に等間隔に配置されている。第１信号コンタクト５１と第２信号コンタクト５２とで対の高速伝送用信号コンタクトが構成される。対の高速伝送用信号コンタクト５１，５２と１つのグランドコンタクト５３とでデファレンシャル信号伝送用の１組のコンタクト群が構成される。
【００２０】
第１信号コンタクト５１は接触部５１ａと固定部５１ｂと連結部５１ｃと端子部（接続部）５１ｄとを有し、弾性を有する金属板に打抜き加工及び曲げ加工を施すことによって形成されている。接触部５１ａは後述する相手側コネクタであるコネクタ２０の相手側コンタクトに接触する。接触部５１ａは保持部３４の上面に配置されている。固定部５１ｂはハウジング３にモールドイン成型法によってハウジング３に埋め込まれている。連結部５１ｃは固定部５１ｂと端子部５１ｄとを連結する。端子部５１ｄは連結部５１ｃに連結されている。端子部５１ｄは表面実装タイプであり、プリント基板上のパッド（図示せず）に半田付けされる。
【００２１】
第２信号コンタクト５２は第１信号コンタクト５１と同形状であるので、便宜上、図２において、第２信号コンタクト５２に関する符号（５２ａ〜５２ｄ）を第１信号コンタクト５１に関する符号（５１ａ〜５１ｄ）の横に括弧書きする。第２信号コンタクト５２は接触部５２ａと固定部５２ｂと連結部５２ｃと端子部（接続部）５２ｄとを有し、弾性を有する金属板に打抜き加工及び曲げ加工を施すことによって形成されている。接触部５２ａは相手側コネクタの相手側コンタクトに接触する。接触部５２ａは保持部３４の上面に配置されている。固定部５２ｂはハウジング３にモールドイン成型法によってハウジング３に埋め込まれている。連結部５２ｃは固定部５２ｂと端子部５２ｄとを連結する。端子部５２ｄは連結部５２ｃに連結されている。端子部５２ｄは表面実装タイプであり、プリント基板上のパッド（図示せず）に半田付けされる。
【００２２】
グランドコンタクト５３は第１信号コンタクト５１と同形状であるので、便宜上、図２においてグランドコンタクト５３に関する符号を第１信号コンタクト５１に関する符号の横に括弧書きする。グランドコンタクト５３は接触部５３ａと固定部５３ｂと連結部５３ｃと端子部（接続部）５３ｄとを有し、弾性を有する金属板に打抜き加工及び曲げ加工を施すことによって形成されている。接触部５３ａは相手側コネクタの相手側コンタクトに接触する。接触部５３ａは保持部３４の上面に配置されている。固定部５３ｂはハウジング３にモールドイン成型法によってハウジング３に埋め込まれている。連結部５３ｃは固定部５３ｂと端子部５３ｄとを連結する。端子部５３ｄは連結部５３ｃに連結されている。端子部５３ｄは表面実装タイプであり、プリント基板上のパッド（図示せず）に半田付けされる。
【００２３】
非高速伝送用のコンタクト５４は接触部５４ａと圧入部５４ｂと端子部（接続部）５４ｄとを有し、弾性を有する金属板に打抜き加工及び曲げ加工を施すことによって形成されている。接触部５４ａは相手側コネクタの相手側コンタクトに接触する。接触部５４ａは保持部３４の下面に配置されている。圧入部５４ｂはハウジング３の圧入溝３２ｂに圧入されている。端子部５４ｄは表面実装タイプであり、プリント基板上のパッド（図示せず）に半田付けされる。
【００２４】
非高速伝送用のコンタクト５４´は端子部５４ｄ´の引出方向を除き、コンタクト５４と同様の構成を有する。端子部５４ｄ´は前方へ折れ曲がり、端子部５４ｄ´を圧入部５４ｂよりも前方に位置させる。この結果、端子部５４ｄ，５４ｄ´は千鳥配置になる（図４参照）。
【００２５】
シェル７は導電性を有し、脚片７ａと接触片７ｂとを有する。脚片７ａはプリント基板のスルーホールに半田付けされ、このスルーホールを通じて接地される。接触片７ｂはシェル７の側面に形成された窓孔７ｃを通じて相手側コネクタであるコネクタ２０１のシェル２０７に接触する（図５Ａ，図５Ｂ参照）。
【００２６】
図３に示すように、第１、第２信号コンタクト５１，５２の接触部５１ａ，５２ａとグランドコンタクト５３の接触部５３ａとは、それぞれ嵌合・離脱方向Ａに対して直交するコンタクト配列方向Ｃへ一列に並んでいる。
【００２７】
第１、第２信号コンタクト５１，５２の接触部５１ａ，５２ａとグランドコンタクト５３の接触部５３ａとで形成される列と、コンタクト５４，５４´の接触部５４ａ，５４ａだけで形成される列とは、平行である。
【００２８】
対の第１、第２信号コンタクト５１，５２の接触部５１ａ，５２ａは、コンタクト配列方向Ｃで隣接するグランドコンタクト５３の接触部５３ａ間に配置されている。
【００２９】
コンタクト５４，５４´の接触部５４ａ，５４ａ´はコンタクト配列方向へ一列に並んでいる。対の第１、第２信号コンタクト５１，５２とグランドコンタクト５３とで形成される列のコンタクト配列方向Ｃにおけるピッチと、コンタクト５４，５４´で形成される列のコンタクト配列方向Ｃにおけるピッチとでは異なる。
【００３０】
図４に示すように、対の第１、第２信号コンタクト５１，５２の端子部５１ｄ，５２ｄとグランドコンタクト５３の端子部５３ｄとは、それぞれコンタクト配列方向Ｃへ一列に並んでいる。
【００３１】
対の第１、第２信号コンタクト５１，５２の端子部５１ｄ，５２ｄは、コンタクト配列方向Ｃで隣接するグランドコンタクト５３の端子部５３ｄ間に配置されている。
【００３２】
コンタクト５４、５４´の端子部５４ｄ，５４ｄ´がコンタクト配列方向Ｃへ二列に並んでいる。第１、第２信号コンタクト５１，５２の端子部５１ｄ，５２ｄとグランドコンタクト５３の端子部５３ｄとで形成される列と、コンタクト５４，５４´の端子部５４ｄ，５４ｄ´で形成される２つの列とは、平行である。また、コンタクト５４の端子部５４ｄコンタクト５４´の端子部５４ｄ´とは千鳥状に配置されており、各端子部５４ｄ，５４ｄ´を仮想直線で結ぶと１つのジグザグ曲線が形成される。
【００３３】
この実施形態によれば、高速伝送用の第１、第２信号コンタクト５１，５２の接触部５１ａ，５２ａと高速伝送用のグランドコンタクト５３の接触部５３ａとは、コンタクト配列方向Ｃへ一列に並び、対の第１、第２信号コンタクト５１，５２の接触部５１ａ，５２ａがコンタクト配列方向Ｃで隣接するグランドコンタクト５３の接触部５３ａ間に配置されるので、対となる第１、第２信号コンタクト５１，５２と他の対の第１、第２信号コンタクトとの間での伝送特性のバラツキやクロストークが抑制され、伝送劣化を防ぐことができる。
【００３４】
また、対の第１、第２信号コンタクト５１，５２の端子部５１ｄ，５２ｄがコンタクト配列方向Ｃで隣接するグランドコンタクト５３の端子部５３ｄ間に配置されるので、対となる第１、第２信号コンタクト５１，５２の端子部５１ｄ，５２ｄと、これに隣接する他の対の第１、第２信号コンタクトの５１，５２の端子部５１ｄ，５２ｄとの間でのクロストークを抑制し、伝送劣化を防ぐ。
【００３５】
更に、第１、第２信号コンタクト５１，５２の端子部５１ｄ，５２ｄとグランドコンタクト５３の端子部５３ｄとで形成される列と、コンタクト５４，５４´の端子部５４ｄ，５４ｄ´で形成される２つの列とは、平行であるので、ハウジング３のコンタクト配列方向Ｃの長さを短くすることができ、コネクタ１の小型化を図ることができる。また、コンタクト５４の端子部５４ｄとコンタクト５４´の端子部５４ｄ´とを千鳥状に配置したので、プリント基板上の隣接するパッド間の間隔を大きくすることができ、コンタクト５４，５４´を、パッド面積を大きく取る必要がある電源用のコンタクトとして使用することができる。
【００３６】
図５Ａはこの発明の第２実施形態のコネクタの正面図、図５Ｂは同コネクタの側面図、図６は図５Ａに示すコネクタの一部の縦断面を示す図である。
【００３７】
コネクタ２０１は第１実施形態のコネクタ１の相手側コネクタである。
【００３８】
コネクタ１では、第１、第２信号コンタクト５１，５２、グランドコンタクト５３及び非高速伝送用のコンタクト５４，５４´はそれぞれＬ字形に折り曲げられているが、コネクタ２０１では、第１、第２信号コンタクト２５１，２５２、グランドコンタクト２５３及び非高速伝送用のコンタクト２５４，２５４´は直線的な形状である。
【００３９】
コネクタ１では、各コンタクト５１，５２，５３，５４，５４´の端子部（接続部）５１ｄ，５２ｄ，５３ｄ，５４ｄ，５４ｄ´がそれぞれプリント基板に実装される形状であるが、コネクタ２０１では、各コンタクト２５１，２５２，２５３，２５４，２５４´の図示しない結線部（端子部）がそれぞれケーブルに接続可能な形状である。
【００４０】
コネクタ１では、非高速用伝送のコンタクト５４，５４´の端子部５４ｄ，５４ｄ´は千鳥配置され、２列に並んでいるが、コネクタ２０１では、コンタクト２５４，２５４´の結線部はコネクタ配列方向Ｃへ１列に並んでいる。コンタクト２５４．２４５´の結線部がコンタクト２５１，２５２，２５３の結線部と平行に並んでいる点は第１実施形態のコネクタと同じである。
【００４１】
コンタクト２５１，２５２，２５３，２５４，２５４´の接触部の配置は第１実施形態の接触部５１ａ，５２ａ，５３ａ，５４ａ，５４ａ´と同じである。
【００４２】
シェル２０７はその前端部を除き、樹脂製のフード２０８で覆われている。
【００４３】
第２実施形態は第１実施形態と同様の作用効果を奏する。
【００４４】
なお、図３、図４、図５Ａに示すように、上述の実施形態では、コンタクト配列方向Ｃにおける、対の高速伝送用信号コンタクト５１，５２、２５１，２５２間の間隔は対の高速伝送用信号コンタクト５１，５２、２５１，２５２とこれらと隣接するグランドコンタクト５３，２５３との間隔よりも広いが、これらの間隔を同一間隔としてもよい。
【図面の簡単な説明】
【００４５】
【図１Ａ】図１Ａはこの発明の第１実施形態のコネクタの正面図である。
【図１Ｂ】図１Ｂは同コネクタの側面図である。
【図１Ｃ】図１Ｃは同コネクタの背面図である。
【図２】図２は図１ＣのII−II線に沿う断面図である。
【図３】図３は図１に示すコネクタを背面から見たときのコンタクトの接触部の配置を示す概念図である。
【図４】図４は図１に示すコネクタを底面から見たときのコンタクトの端子部の配置を示す概念図である。
【図５Ａ】図５Ａはこの発明の第２実施形態のコネクタの正面図である。
【図５Ｂ】図５Ｂは同コネクタの側面図である。
【図６】図６は図５Ａに示すコネクタの一部の縦断面を示す図である。
【符号の説明】
【００４６】
１、２０１  コネクタ
３、２０３  ハウジング
５、２０５  コンタクト
５１，２５１  第１信号コンタクト（高速伝送用信号コンタクト）
５１ａ  接触部
５１ｄ  端子部（接続部）
５２，２５２  第２信号コンタクト（高速伝送用信号コンタクト）
５２ａ  接触部
５２ｄ  端子部（接続部）
５３、２５３  グランドコンタクト（高速伝送用グランドコンタクト）
５３ａ  接触部
５３ｄ  端子部（接続部）
５４，５４´，２５４，２５４´  コンタクト（非高速伝送用コンタクト）
５４ａ  接触部
５４ｄ  端子部（接続部）
Ａ  嵌合・離脱方向（コネクタ嵌合方向）
Ｃ  コンタクト配列方向
【図１Ａ】
2009187714.tif 000003
【図１Ｂ】
2009187714.tif 000004
【図１Ｃ】
2009187714.tif 000005
【図２】
2009187714.tif 000006
【図３】
2009187714.tif 000007
【図４】
2009187714.tif 000008
【図５Ａ】
2009187714.tif 000009
【図５Ｂ】
2009187714.tif 000010
【図６】
2009187714.tif 000011